(57)【要約】【課題】製造対象のアセンブリと当該アセンブリを構成する構成品の候補に関する情報とをまとめて管理することができる情報管理装置、情報管理方法、及び情報管理プログラムを提供する。【解決手段】本発明に係る情報管理装置は、複数の構成品から構成されるアセンブリに関する情報をアセンブリ情報として管理するための、制御部を備えた情報管理装置である。この情報管理装置の制御部は、複数のアセンブリと当該複数のアセンブリの各々を構成し得る構成品の組み合わせのパターンが登録されている構成パターンマスタから、特定のアセンブリの主たる構成品の候補に関する情報と、主たる構成品の従たる構成品の候補に関する情報とを取得し、それら情報を組み合わせたアセンブリ情報を作成する。【選択図】図２
2017167788.tif 000002
【特許請求の範囲】
【請求項１】
複数の構成品から構成されるアセンブリに関する情報をアセンブリ情報として管理するための、制御部を備えた情報管理装置であって、
前記制御部は、
複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得手段と、
前記構成パターンマスタから、前記主たる構成品の従たる構成品の候補に関する第２の情報を取得する第２の取得手段と、
前記第１の取得手段で取得した第１の情報又は当該第１の情報から選択された主たる構成品に関する情報と、前記第２の取得手段で取得した第２の情報又は当該第１の情報から選択された従たる構成品に関する情報とを組み合わせたアセンブリ構成情報を、前記特定のアセンブリに関するアセンブリ情報として作成するアセンブリ情報作成手段と
を備えた
ことを特徴とする情報管理装置。
【請求項２】
前記従たる構成品は、前記主たる構成品に対して任意に設定可能なオプション品及び前記特定のアセンブリにおいて所定の選定が必要な選定品の一方又は双方である
ことを特徴とする請求項１に記載の情報管理装置。
【請求項３】
前記第２の情報は、前記選定品の候補を、当該選定品の特性を示すパラメータとともに一覧にした選定表に関する情報を含む
ことを特徴とする請求項２に記載の情報管理装置。
【請求項４】
前記構成パターンマスタに登録される構成品に関する情報は、上位品目に関する情報と、当該上位品目を構成する一以上の子品目に関する情報とを含む
ことを特徴とする請求項１〜３のいずれか１項に記載の情報管理装置。
【請求項５】
前記特定のアセンブリは、受注したアセンブリであり、かつ、
前記制御部は、
前記第１の取得手段で取得した第１の情報、前記第２の取得手段で取得した第２の情報、及び、前記アセンブリ情報作成手段で作成したアセンブリ情報から選択された少なくとも１以上の情報に基づいて、前記構成品の発注に係る計画データ及び前記アセンブリの製造に係る計画データの少なくとも一方を作成する計画データ作成手段
をさらに含む
ことを特徴とする請求項１〜４のいずれか１項に記載の情報管理装置。
【請求項６】
制御部を備えた情報管理装置において実行される、複数の構成品から構成されるアセンブリに関する情報をアセンブリ情報として管理するための情報管理方法であって、
前記制御部において実行される、
複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得ステップと、
前記構成パターンマスタから、前記主たる構成品の従たる構成品の候補に関する第２の情報を取得する第２の取得ステップと、
前記第１の取得ステップで取得した第１の情報又は当該第１の情報から選択された主たる構成品に関する情報と、前記第２の取得ステップで取得した第２の情報又は当該第２の情報から選択された従たる構成品に関する情報とを組み合わせたアセンブリ構成情報を、前記特定のアセンブリに関するアセンブリ情報として作成するアセンブリ情報作成ステップと
を含むこと
を特徴とする情報管理方法。
【請求項７】
制御部を備えた情報管理装置において実行させるための、複数の構成品から構成されるアセンブリに関する情報をアセンブリ情報として管理するための情報管理プログラムであって、
前記制御部において実行させるための、
複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得ステップと、
前記構成パターンマスタから、前記主たる構成品の従たる構成品の候補に関する第２の情報を取得する第２の取得ステップと、
前記第１の取得ステップで取得した第１の情報又は当該第１の情報から選択された主たる構成品に関する情報と、前記第２の取得ステップで取得した第２の情報又は当該第２の情報から選択された従たる構成品に関する情報とを組み合わせたアセンブリ構成情報を、前記特定のアセンブリに関するアセンブリ情報として作成するアセンブリ情報作成ステップと
を含むこと
を特徴とする情報管理プログラム。
【発明の詳細な説明】
【技術分野】
【０００１】
本発明は、情報管理装置、情報管理方法、及び情報管理プログラムに関し、特に、複数の構成品から構成されるアセンブリに関する情報をアセンブリ情報として管理するための、情報管理装置、情報管理方法、及び情報管理プログラムに関する。
【背景技術】
【０００２】
特許文献１には、完成された装置（組み立てられたパッケージ）について、当該装置のシリアルナンバーがクラスＤに所属し、当該装置を組み立てるための個別のコンポーネント（資材部品）について、シリアルナンバータイプＡ，Ｂ，Ｃを割り当てることで、クラスＤの部品リストと、タイプＡ，Ｂ，Ｃとを相互に関連付けることが開示されている（図１０，段落［００８２］〜［００８３］、及び、図２，段落［００６４］〜［００６６］等参照）。この特許文献１に開示されているような技術によれば、組み立て型の装置等のアセンブリの情報を、予め定まっている資材部品等の構成品に関する情報のリスト（「資材票」ともいう）を用いて管理することができる。
【先行技術文献】
【特許文献】
【０００３】
【特許文献１】特表２００６−５１４７６４号公報
【発明の概要】
【発明が解決しようとする課題】
【０００４】
しかしながら、アセンブリを構成する構成品に変更が生じた場合又は構成品を変更しようとする場合、さらには構成品の代替品（特には後発品）について検討を要する場合、資材票を新たに作り直す必要が生じる。また、アセンブリのカスタマイズを得意先に応じて行う場合には、得意先ごとに資材票を用意する必要がある。
【０００５】
本発明は、上記問題点に鑑みてなされたものであって、製造対象のアセンブリと当該アセンブリを構成する構成品の候補に関する情報とをまとめて管理することができる情報管理装置、情報管理方法、及び情報管理プログラムを提供することを目的とする。
【課題を解決するための手段】
【０００６】
上述した課題を解決し、目的を達成するために、本発明に係る情報管理装置は、複数の構成品から構成されるアセンブリに関する情報をアセンブリ情報として管理するための、制御部を備えた情報管理装置であって、前記制御部は、複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得手段と、前記構成パターンマスタから、前記主たる構成品の従たる構成品の候補に関する第２の情報を取得する第２の取得手段と、前記第１の取得手段で取得した第１の情報又は当該第１の情報から選択された主たる構成品に関する情報と、前記第２の取得手段で取得した第２の情報又は当該第１の情報から選択された従たる構成品に関する情報とを組み合わせたアセンブリ構成情報を、前記特定のアセンブリに関するアセンブリ情報として作成するアセンブリ情報作成手段とを備えたことを特徴とする。
【０００７】
また、本発明に係る情報管理装置は、前記に記載の情報管理装置において、前記従たる構成品は、前記主たる構成品に対して任意に設定可能なオプション品及び前記特定のアセンブリにおいて所定の選定が必要な選定品の一方又は双方であることを特徴とする。
【０００８】
さらに、本発明に係る情報管理装置は、前記に記載の情報管理装置において、前記第２の情報は、前記選定品の候補を、当該選定品の特性を示すパラメータとともに一覧にした選定表に関する情報を含むことを特徴とする。
【０００９】
また、本発明に係る情報管理装置は、前記に記載の情報管理装置において、前記構成パターンマスタに登録される構成品に関する情報は、上位品目に関する情報と、当該上位品目を構成する一以上の子品目に関する情報とを含むことを特徴とする。
【００１０】
また、本発明に係る情報管理装置は、前記に記載の情報管理装置において、前記特定のアセンブリは、受注したアセンブリであり、かつ、前記制御部は、前記第１の取得手段で取得した第１の情報、前記第２の取得手段で取得した第２の情報、及び、前記アセンブリ情報作成手段で作成したアセンブリ情報から選択された少なくとも１以上の情報に基づいて、前記構成品の発注に係る計画データ及び前記アセンブリの製造に係る計画データの少なくとも一方を作成する計画データ作成手段をさらに含むことを特徴とする。
【００１１】
また、本発明に係る情報管理方法は、制御部を備えた情報管理装置において実行される、複数の構成品から構成されるアセンブリに関する情報をアセンブリ情報として管理するための情報管理方法であって、前記制御部において実行される、複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得ステップと、前記構成パターンマスタから、前記主たる構成品の従たる構成品の候補に関する第２の情報を取得する第２の取得ステップと、前記第１の取得ステップで取得した第１の情報又は当該第１の情報から選択された主たる構成品に関する情報と、前記第２の取得ステップで取得した第２の情報又は当該第２の情報から選択された従たる構成品に関する情報とを組み合わせたアセンブリ構成情報を、前記特定のアセンブリに関するアセンブリ情報として作成するアセンブリ情報作成ステップとを含むことを特徴とする。
【００１２】
また、本発明に係る情報管理プログラムは、制御部を備えた情報管理装置において実行させるための、複数の構成品から構成されるアセンブリに関する情報をアセンブリ情報として管理するための情報管理プログラムであって、前記制御部において実行させるための、複数のアセンブリと当該複数のアセンブリの各々を構成し得る構成品の組み合わせのパターンが登録されている構成パターンマスタから、特定のアセンブリの主たる構成品の候補に関する第１の情報を取得する第１の取得ステップと、前記構成パターンマスタから、前記主たる構成品の従たる構成品の候補に関する第２の情報を取得する第２の取得ステップと、前記第１の取得ステップで取得した第１の情報又は当該第１の情報から選択された主たる構成品に関する情報と、前記第２の取得ステップで取得した第２の情報又は当該第２の情報から選択された従たる構成品に関する情報とを組み合わせたアセンブリ構成情報を、前記特定のアセンブリに関するアセンブリ情報として作成するアセンブリ情報作成ステップとを含むことを特徴とする。
【発明の効果】
【００１３】
本発明によれば、アセンブリと当該アセンブリを構成する構成品の候補に関する情報とをまとめて管理することができるという効果を奏する。
【図面の簡単な説明】
【００１４】
【図１】図１は、本発明の実施形態に係る情報管理装置を含む情報管理システムの構成の一例を示すブロック図である。
【図２】図２は、図１における情報管理装置１００において実行される情報管理方法の処理手順を示すフローチャートである。
【図３】図３は、図２のステップＳ２１０の処理に際し、受注データを取り込むときの表示画面の一例を示す図である。
【図４】図４は、図２のステップＳ２２０の処理に際し、受注データの選択がなされたときの表示画面の一例を示す図である。
【図５】図５は、図２のステップＳ２３０のサブルーチンの処理手順を示すフローチャートである。
【図６】図６は、図５のステップＳ２３２の処理の結果抽出された標準構成のデータ管理の説明のために用いられる図であり、図６（ａ）は、標準構成の親品目コードの例を、図６（ｂ）は、図６（ａ）の３つの標準構成の候補のうちの１つの標準構成の子品目の例を示している。
【図７】図７は、図５のステップＳ２３３の処理の結果抽出されたオプション品のデータ管理の説明のために用いられる図であり、図７（ａ）は、オプション品の親品目コードの例を、図７（ｂ）は、図７（ａ）の２つのオプション品の候補のうちの１つのオプション品の子品目の例を示している。
【図８】図８は、図５のステップＳ２３５の処理の結果、図７（ａ）に示したオプション品の候補から抽出された選定品の候補の例を示す図である。
【図９】図９は、図８の２つの選定品の候補のうちの１つの選定品についての選定表のデータの一例を模式的に示す図である。
【図１０】図１０は、選定品に親品目コードが設定され、かつ、当該選定品の下位品目にプーリー素材が設定された場合の一例を示す図である。
【図１１】図１１は、アセンブリ識別情報と、抽出及び編集された構成品に関する情報とを関連付けたアセンブリ情報の例を示す図であり、図１１（ａ）は、その一例を、図１１（ｂ）は、別の例を示している。
【発明を実施するための形態】
【００１５】
本発明を実施するための形態を、図面を参照しながら詳細に説明する。なお、本実施形態により本発明が限定されるものではない。
【００１６】
［１．構成］
本実施形態に係る情報管理装置を含む情報管理システムの構成の一例について、図１を参照して説明する。図１は、本実施形態に係る情報管理装置を含む情報管理システムの構成の一例を示すブロック図である。
【００１７】
図１に示す情報管理システム１０００は、情報処理装置としての情報管理装置１００と、サーバ２００と、情報管理装置１００及びサーバ２００を相互に通信可能に接続するネットワーク３００とを含んでいる。
【００１８】
情報管理装置１００は、市販のデスクトップ型パーソナルコンピュータであり、複数の構成品から構成されるアセンブリに関する情報をアセンブリ情報として管理するための情報処理装置である。なお、情報管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００１９】
情報管理装置１００は、制御部１０２と、通信インターフェース部１０４と、記憶部１０６と、入出力インターフェース部１０８とを備えている。情報管理装置１００が備えている各部は、任意の通信路を介して通信可能に接続されている。
【００２０】
通信インターフェース部１０４は、ルータ等の通信装置及び専用線等の有線又は無線の通信回線を介して、情報管理装置１００をネットワーク３００に通信可能に接続する。通信インターフェース部１０４は、他の装置と通信回線を介してデータを通信する機能を有する。ここで、ネットワーク３００は、情報管理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。したがって、通信インターフェース部１０４は、図１には図示されていない情報処理装置からの入力情報等を、ネットワーク３００を介して又はネットワーク３００及びサーバ２００を介して、受け付けることが可能に構成されているとともに、所定の情報処理装置に対して所定の情報を出力することが可能に構成されている。
【００２１】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラム（本発明の情報管理プログラムを含む）が記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。また、この記憶部１０６には、本発明の情報管理プログラムを実施するために用いられる各種のマスタ（データベース又はテーブル）が書出し／読出し可能に格納されている。各種のマスタについては後述する。
【００２２】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。
【００２３】
制御部１０２は、情報管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。
【００２４】
さらに図１を参照しながら、記憶部１０６の構成と制御部１０２の構成について詳述する。
【００２５】
記憶部１０６には、図１に示されるように、構成パターンマスタ１０６ａが格納されている。この構成パターンマスタ１０６ａには、複数のアセンブリと当該複数のアセンブリの各々を構成し得る構成品の組み合わせのパターンが登録されている。具体的には、アセンブリを識別するためのアセンブリ識別情報と、当該アセンブリの主たる構成品の候補に関する第１の情報と、主たる構成品の従たる構成品の候補に関する第２の情報とが互いに関連付けられた状態で構成パターンマスタ１０６ａに登録される。
【００２６】
上記アセンブリ識別情報は、アセンブリを受注するときに用いる受注番号であってもよいし、出荷するときに用いる品番であってもよい。なお、アセンブリは、複数の構成品から構成される物品であればよく、したがって、組み立て型の装置に限られることはなく、組み立て型の部品であってもよいし、組立てを必要としないキットであってもよい。また、構成品は、部品に限られることはなく、資材であってもよいし、材料であってもよく、さらには、出荷するときに用いる梱包材等を含んでもよい。
【００２７】
また、上記の第１の情報とは、アセンブリを構成する候補となる構成品のうち、任意に選択された単体の構成品又は１群の構成品を特定するための情報をいう。この第１の情報としては、単体の構成品を特定するために用いている情報（例えば、品目コード若しくは品名又は発注番号）を用いてもよいし、任意に設定した品目コード又は品目名を用いてもよい。ここで、好ましくは、主たる構成品としては、アセンブリにおいて構成品の変更の可能性が低くかつ複数の品目からの選定を要しない１以上の構成品が選択される。これにより、構成パターンマスタ１０６ａのメンテナンス等の管理を容易にすることができる。より好ましくは、主たる構成品として、アセンブリの本体又は主要部をなす構成品が選択される。このため、主たる構成品を本明細書においては標準構成とも称する場合がある。これにより、主たる構成品の情報から、製造対象のアセンブリを想起しやすくなる。
【００２８】
上記の第２の情報とは、上述の第１の情報のために選択されなかった構成品を特定するための情報をいう。ここで、好ましくは、従たる構成品としては、アセンブリにおいて構成品の変更の可能性が上記主たる構成品よりも高い１以上の構成品が選択され、より好ましくは、アセンブリの本体又は主要部をなす構成品に対するオプション品（例えば、付属品）や選定を要する構成品（以下、「選定品」ともいう）が選択される。
【００２９】
制御部１０２は、図１に示されるように、複数のモジュールを備えており、具体的には、第１取得部１０２ａと、第２取得部１０２ｂと、アセンブリ情報作成部１０２ｃと、計画データ作成部１０２ｄとを備えている。
【００３０】
第１取得部１０２ａは、特定のアセンブリ（例えば、受注品に係る製造対象のアセンブリ）に関するアセンブリ情報を作成する処理（図２を用いて後述する情報管理処理の一部）において、上述の構成パターンマスタ１０６ａから、当該特定のアセンブリの主たる構成品の候補に関する第１の情報を取得するためのモジュールである。したがって、このモジュールは、第１の取得手段として機能する。
【００３１】
第１取得部１０２ａは、上記特定のアセンブリに関するアセンブリ情報を作成する処理（図２を用いて後述する情報管理処理の一部）において、上述の構成パターンマスタ１０６ａから、当該特定のアセンブリの主たる構成品の候補に関する第２の情報を取得するためのモジュールである。したがって、このモジュールは、第２の取得手段として機能する。
【００３２】
アセンブリ情報作成部１０２ｃは、第１取得部１０２ａ及び第２取得部１０２ｂが取得した第１の情報及び第２の情報を組み合わせたアセンブリ構成情報を作成するためのモジュールである。ここで作成されるアセンブリ構成情報は、少なくとも特定のアセンブリを構成する複数の構成品を特定する情報を含んでおり、上記特定のアセンブリに関するアセンブリ情報に該当する。したがって、このモジュールは、アセンブリ情報作成手段として機能する。
【００３３】
計画データ作成部１０２ｄは、上記特定のアセンブリの製造までに又は製造に際して必要となる計画データの作成を行うためのモジュールである。ここで、計画データの第１の例は、特定のアセンブリを構成する複数の構成品の各々を調達するために必要となる発注に係る計画データである。計画データの第２の例は、複数の構成品から特定のアセンブリを製造するときの製造管理に必要となる製造に係る計画データである。これらの発注及び製造に係る計画データの作成に際し、計画データ作成部１０２ｄは、第１取得部１０２ａが取得した第１の情報、第２取得部１０２ｂが取得した第２の情報、及び、アセンブリ情報作成部１０２ｃが作成したアセンブリ情報から選択された１以上の情報を用いる。したがって、このモジュールは、計画データ作成手段として機能する。
【００３４】
［２．処理］
次に、本実施形態に係る情報管理システム１０００において行われる、アセンブリ情報を管理するための処理について、図２〜図１１（ｂ）を参照して説明する。
【００３５】
図２は、図１における情報管理装置１００において実行される情報管理方法の処理手順を示すフローチャートである。この図２に示す処理は、概略的には、受注品に係る製造対象のアセンブリを特定し、当該アセンブリの標準構成の候補とオプション品の候補とを構成パターンマスタ１０６ａから抽出し、必要に応じて修正を加えて得られたアセンブリ構成情報から、構成品発注計画データ及び製造計画データの作成を行うというものである。本処理の大部分は、情報管理装置１００の制御部１０２において実行される。
【００３６】
図２において、まず、ステップＳ２１０では、受注データの更新を待機する。受注データの更新は、新規の受注データを作成することによって行ってもよいし、他の業務システム等で作成された受注データを取り込むことによって行ってもよい。図３には、図２のステップＳ２１０の処理に際し、受注データを取り込むときの表示画面の一例が示されている。なお、受注データの更新がなくても、特定の受注データの編集を行う場合には、このステップＳ２１０をスキップしてステップＳ２２０の処理に進む。
【００３７】
続いて、ステップＳ２２０では、受注データの選択を受け付けることにより、本処理の対象となる受注品を特定する。受注データの選択は、例えば、受注番号や製番の入力によって行われる。図４には、図２のステップＳ２２０の処理に際し、受注データの選択がなされたときの表示画面の一例が示されている。この図４に示すような表示画面を用いることにより、受注データの管理がなされる。具体的には、図４に示すような表示画面を介して、製番又は受注番号の入力、商品コードの入力、受注品の受注品の特性値等のパラメータの設定又はその変更、受注品の受注から製造までの日程管理、受注品を構成する構成品に関する情報の管理、単価等の会計管理等が可能になっている。
【００３８】
次に、ステップＳ２３０では、ステップＳ２２０で特定された受注品についてアセンブリ情報の作成を行う。このステップＳ２３０の処理の詳細は、図５に示すサブルーチンに示されている。
【００３９】
図５において、まず、ステップＳ２３１では、構成パターンマスタ１０６ａの読出しを行う。先述のとおり、構成パターンマスタ１０６ａにおいては、アセンブリ識別情報と、第１の情報、すなわち標準構成の候補に関する情報と、第２の情報、すなわちオプション品に関する情報とが互いに関連付けられている。
【００４０】
続くステップＳ２３２では、ステップＳ２３１で読み出した構成パターンマスタ１０６ａから、ステップＳ２２０で特定された受注品のアセンブリ識別情報（当該受注品を識別するための情報、例えば、商品コード、又は、製番若しくは受注番号）に関連付けられている標準構成に関する情報を第１の情報として取得する。これにより、標準構成の候補が抽出されることとなる。
【００４１】
図６（ａ）には、図５のステップＳ２３２の処理の結果抽出された標準構成の候補の例が示されている。この例では、商品コードを同一にする３つの標準構成の候補が抽出されている。このように抽出される複数の標準構成の候補には、任意の品目コード及び品目名の少なくとも一方（図６（ａ）に示す例では品目コード）が設定されている。そして、本実施の形態では、標準構成の候補に設定された品目コードは、図６（ａ）に示すように、親品目コードとして管理されており、この親品目コードに対応する標準構成は、図６（ｂ）に示すように、１以上の子品目に展開可能にデータ管理されている。このようにデータ管理を行うことで、多数に及ぶ子品目をより少数の親品目コードで扱うことが可能となる。図６（ｂ）に示す例では、羽根車、ケーシング、フランジ、及びレールの４つの子品目が１つの親品目コードで管理されている。
【００４２】
また、ステップＳ２３３では、ステップＳ２３１で読み出した構成パターンマスタ１０６ａから、ステップＳ２２０で特定された受注品のアセンブリ識別情報（当該受注品を識別するための情報、例えば、商品コード、又は、製番若しくは受注番号）に関連付けられているオプション品に関する情報を第２の情報として取得する。これにより、オプション品の候補が抽出されることとなる。なお、アセンブリ識別情報だけでなくステップＳ２３２で抽出した標準構成の候補に関する情報（第１の情報）も参照することで、オプション品の候補の数を絞り込むことが好ましい。
【００４３】
図７（ａ）には、図５のステップＳ２３３の処理の結果抽出されたオプション品の候補の例が示されている。この例では、オプションコードを同一にする２つのオプション品の候補が抽出されている。このように抽出される複数のオプション品の候補には、任意の品目コード及び品目名の少なくとも一方（図７（ａ）に示す例では品目コード）が設定されている。そして、本実施の形態では、オプション品の候補に設定された品目コードは、図７（ａ）に示すように、親品目コードとして管理されており、この親品目コードに対応するオプション品は、図７（ｂ）に示すように、１以上の子品目に展開可能にデータ管理されている。このようにデータ管理を行うことで、多数に及ぶ子品目をより少数の親品目コードで扱うことが可能となる。図７（ｂ）に示す例では、プラグＡ及びソケットＡの２つの子品目と、後述する選定品である機種名ＳＲＭ３のモータが１つの親品目コードで管理されている。
【００４４】
次に、ステップＳ２３４では、ステップＳ２２０で特定された受注品を構成する構成品に選定品があるかどうか判別する。ここで、図７（ａ）に示した例は、オプション品に関する情報の中に、選定品に関する情報（機種名、番手等の情報）が選定品パラメータとして含まれている例であり、この例では、オプション品に関する情報を取得することにより選定品に関する情報も取得される。なお、選定品の候補をオプション品とは別に抽出可能にデータ管理してもよく、その場合には、例えば、選定品の候補の有無を示すフラグを例えばアセンブリ識別情報にセットすればよい。
【００４５】
そして、ステップＳ２３４の判別の結果、選定品がある場合には（ステップＳ２３４でＹｅｓ）、その選定品に関する情報を取得し、これにより、選定品の候補を抽出する（ステップＳ２３５）。図７（ａ）に示した例では、オプション品の候補１つにつき１つの選定品の候補が抽出されることとなる。図８には、図５のステップＳ２３５の処理の結果、図７（ａ）に示したオプション品の候補から抽出された選定品の候補の例が示されている。このように選定品の候補を抽出することで、図８に示すように、選定品の各候補の品目コードやより詳細なパラメータに関する情報（例えばモータの出力に関する情報）を取得することが可能となる。
【００４６】
続くステップＳ２３６では、ステップＳ２３５で抽出した選定品の各候補について選定表のデータを作成する。選定表とは、選定品ごとにそのパラメータを対比可能にしたリストをいう。例えば、選定品がモータである場合、メーカー、型式、品番（品目コード）及び出力値（ｋＷ）が同一であっても、正端／逆端の区別や適用周波数（Ｈｚ）を異にする場合がある。図９には、図８に示される選定品であるモータの候補のうち、出力値が０．７５ｋＷのモータについて、図５のステップＳ２３６の処理で作成した選定表のデータが模式的に示されている。このステップＳ２３６の処理のように、選定表のデータを用意しておくことで、ユーザの最終的な選定を簡便にすることができる。
【００４７】
さらに、ステップＳ２３７では、選定品の下位品目に関する情報を取得するかどうかを判別する。選定品に対して、さらに下位品目が設定されているかどうかは、例えば、ステップＳ２３５で抽出した選定品の各候補に関する情報に、下位品目の有無を示すフラグをセットすることで判別することが可能であり、本実施形態においては、このフラグをチェックすることで、ステップＳ２３７の判別を行う。なお、下位品目設定ありのフラグをセットすることに代えて、例えば、選定表に、選定品を特定可能な親品目コード（又は親品目名）、又は、当該選定品の下位品目に関する情報を組み入れてもよい。
【００４８】
選定品に設定される下位品目とは、例えば、選定品とともに必要となる構成品又はオプション品等の構成品をいい、このように下位品目を設定することで、例えば、選定品によってオプション品が異なる場合にも選定をより簡便にすることができる。本実施形態においては、選定品に対して親品目コード（又は親品目名）等の識別情報を設定し、下位品目をオプション品としてデータ管理されている。そのため、選定品の下位品目に関する情報を取得する場合、つまり、下位品目設定ありのフラグがＯＮにセットされている場合には（ステップＳ２３７でＹｅｓ）、ステップＳ２３３の処理に戻って、選定品の下位品目の候補を抽出する。図１０には、選定品に親品目コードが設定され、かつ、当該選定品の下位品目にプーリー素材が設定された場合の一例が示されている。
【００４９】
一方、選定品の下位品目に関する情報を取得する必要がない場合、又は、選定品の下位品目の候補の抽出が済んでいる場合には、ステップＳ２３５〜Ｓ２３７の処理をスキップして、図５の処理を終了する。
【００５０】
上述したようにして図５の一連の処理を行うことにより、受注品を構成する全ての構成品の候補が抽出されることとなる。これらの構成品の候補に関する情報は、すべて、アセンブリ識別情報（例えば、製番又は受注番号）と互いに関連付けられており、また、それらを組み合わせることで、受注品であるアセンブリの構成を示すアセンブリ構成情報をなす。このようにして、受注品のアセンブリ情報が作成され、図５の処理（図２のステップＳ２３０の処理）を終了して、図２の後続の処理へ進む。
【００５１】
図２に戻り、後続のステップＳ２４０では、受注品を構成する構成品の候補について発注計画データを作成する。この発注計画データには、例えば、各構成品の発注先から予め取得しておいた納期に関する情報が含まれており、これにより、構成品の調達が可能であるかどうかの判断材料とすることができる。さらには、構成品の発注計画データを集約することにより複数の構成品の発注計画データを作成してもよく、好ましくは、納期の対比表も作成される。なお、ステップＳ２４０で作成した注文計画データに変更がない場合（例えば、構成品の候補の数が１つの場合）には、当該発注計画データを注文書として発注先へ送付するようにしてもよく、これにより、調達担当者の手間を大幅に省くことができる。また、構成品の候補の数が多すぎる場合等、さらなる選定が必要な場合には、ステップＳ２４０の処理をスキップしてステップＳ２５０に進んでもよい。
【００５２】
そして、ステップＳ２５０では、受注品の候補として抽出された構成品に関する情報の修正入力を待機する。ユーザは、ステップＳ２３０で作成されたアセンブリ情報やステップＳ２５０で作成された発注計画データを参照することで得られる、構成品の候補の数や当該構成品の納期等を判断材料として、アセンブリ情報の編集を行う。この編集の結果、各構成品の候補の数は実質的に１つに絞り込まれることとなる。図１１（ａ）には、アセンブリ識別情報と、抽出及び編集された構成品に関する情報とを関連付けたアセンブリ情報の一例が模式的に示されている。また、図１１（ｂ）には、図１１（ａ）のアセンブリ情報とは別のアセンブリ情報の例が模式的に示されている。図１１（ａ）の例と図１１（ｂ）の相違は、選定品と当該選定品の下位品目の有無である。
【００５３】
そして、アセンブリ情報の編集の結果、アセンブリ情報における構成品に関する情報に修正入力がなされたと判断された場合には（ステップＳ２５０でＹｅｓ）、ステップＳ２４０の処理に戻って、修正入力に係る構成品についての発注計画データの修正を行う。一方、構成品に関する情報に修正がない又は修正の必要がない（つまり、受注品の構成品がすべて確定）と判断された場合には（ステップＳ２５０でＮｏ）、ステップＳ２６０の処理に進む。
【００５４】
次に、ステップＳ２６０では、ステップＳ２３０で作成されかつ必要に応じてステップＳ２５０で編集されたアセンブリ情報に基づいて、製造計画データを作成する。製造計画データは、構成品の組み立てに要する作業日数等を過去の実績等に基づいて予め設定しておくことで自動的に作成される。作成された製造計画データは、ユーザによる編集が可能に構成されており、ユーザは、受注品の出荷希望日等と、製造計画データに含まれる組立計画日とを比較することで、製造計画データの見直しを行う。
【００５５】
その後、ステップＳ２７０では、他の受注品についても、アセンブリ情報、発注計画データ、及び製造計画データの作成を行う処理を行うかどうか判別する。他の受注品について上述した処理を行う場合には（ステップＳ２７０でＹｅｓ）、ステップＳ２２０に戻って、ステップＳ２２０〜Ｓ２７０の処理を行い、一方、他の受注品について上述した処理を行わない場合には、本処理を終了し、図２の処理を完了する。
【００５６】
上述した図２及び図５の処理によれば、構成パターンマスタ１０６ａから、受注品に係るアセンブリの標準構成の候補に関する情報を第１の情報として取得し（ステップＳ２３２）、構成パターンマスタ１０６ａから、標準構成のオプション品（選定品含む）の候補に関する情報を第２の情報として取得し（ステップＳ２３３，Ｓ２３５）、それらの情報を組み合わせたアセンブリ構成情報が、受注品に係るアセンブリに関するアセンブリ情報として作成される。そして、作成されたアセンブリ情報はユーザ編集可能であるので、ユーザとしては、情報管理装置１００は、アセンブリ情報を管理するための装置として機能することとなる。このように、本実施形態によれば、受注品が特定されれば、標準構成の候補に関する情報とオプション品（選定品含む）の候補に関する情報の双方をまとめて取得することができる。なお、本実施形態は、受注品に限らず、任意のアセンブリについて構成シミュレーションを行うことも可能である。
【００５７】
また、図２及び図５の処理によれば、抽出された選定品の選定表のデータが作成される（ステップＳ２３６）。そして、この選定表のデータは、選定品の候補と、当該選定品の特性を示すパラメータとともに一覧可能にすなわち出力可能に作成されている。そのため、ユーザは、選定表上で、選定品のパラメータを対比しながら受注品の構成品とすべき選定品を容易に選ぶことができる。
【００５８】
さらに、図２及び図５の処理によれば、標準構成（親品目）とその子品目、オプション品（親品目）とその子品目、選定品（上位品目）とその選定表（下位品目）、並びに、選定品（親品目）とその下位品目といったように（図６（ａ）〜図１０参照）、構成品に関する情報が上位品目に関する情報と上位品目を構成する一以上の子品目に関する情報とを含むようにデータ管理されている。これにより、データ管理が容易になる。
【００５９】
加えて、図２及び図５の処理によれば、発注計画データが作成されたり（ステップＳ２４０）、また、製造計画データが作成されたりする（ステップＳ２６０）。これにより、ユーザの手間を軽減することができる。
【００６０】
なお、上述した実施形態においては、構成パターンマスタ１０６ａは、アセンブリ識別情報と、第１の情報と、第２の情報とを互いに関連付けたマスタであると説明したが、構成パターンマスタ１０６ａの構成例はこれに限られることはない。例えば、アセンブリ識別情報及び第１の情報を関連付けた第１のマスタと、第１の情報及び第２の情報を関連付けた第２のマスタを用意してもよいし、アセンブリ識別情報と第１の情報とを関連付けた第１のマスタと、アセンブリ識別情報と第２の情報とを関連付けた第２のマスタと、第１の情報と第２の情報を互いに関連付けた第３のマスタを用意してもよい。
【００６１】
また、上述した例では、図２及び図５の処理においてアセンブリ情報が作成されることについて主として説明されているが、図１に示したような情報管理装置１００は、作成されたアセンブリ情報の編集又はシミュレーションのために用いてもよい。例えば、構成品の代替品（特には後発品）がある場合、下位品目として代替品に関する情報を構成パターンマスタ１０６ａに追加登録することで、既存品と後発品の対比を行うことも可能となる。
【００６２】
さらに、上述した実施形態では、主として、アセンブリが受注品である場合について説明したが、アセンブリは受注品に限られることはない。また、上述した実施形態で作成されるようなアセンブリ情報は、計画データの作成のために利用できるだけでなく、例えば、出力することによって資材票（例えば、受付伝票、仕入伝票、倉庫から構成品を取り出すための指示書、アセンブリの２次元描画又は３次元描画のための基本指示書）としても機能させることもできる。
【００６３】
また、上述した実施形態では、構成品の候補及びそのオプション品がすべて抽出される例について説明したが、所定の候補又は所定のオプション品について、表示／非表示の設定を加えることにより、構成品の候補の数を制限することができるようにしてもよい。さらには、構成品の候補に優先順位情報を付加しておき、優先順位にしたがって構成品の候補を表示するときの並び順を変更してもよい。
【００６４】
［３．他の実施形態］
本発明は、上述した実施形態以外にも、特許請求の範囲に記載した技術的思想の範囲内において種々の異なる実施形態にて実施されてよいものである。
【００６５】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６６】
また、本明細書中や図面中で示した処理手順、制御手順、具体的名称、各処理の登録データや検索条件等のパラメータを含む情報、画面例、データベース構成については、特記する場合を除いて任意に変更することができる。
【００６７】
また、情報管理装置１００及び情報管理システム１０００に関して、図示の各構成要素は機能概念的なものであり、必ずしも物理的に図示の如く構成されていることを要しない。
【００６８】
例えば、情報管理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて情報管理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６９】
また、このコンピュータプログラムは、情報管理装置１００に対して任意のネットワークを介して接続されたアプリケーションプログラムサーバ（例えばネットワーク３００を介して接続されたサーバ２００）に記憶されていてもよく、必要に応じてその全部または一部をダウンロードすることも可能である。
【００７０】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。したがって、本明細書で説明したような処理を実行するためのプログラムを格納した記録媒体もまた本発明を構成することとなる。
【００７１】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７２】
記憶部１０６に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００７３】
また、情報管理装置１００は、既知のパーソナルコンピュータまたはワークステーション等の情報処理装置として構成してもよく、また、任意の周辺装置が接続された当該情報処理装置として構成してもよい。また、情報管理装置１００は、当該装置に本実施形態で説明した処理を実現させるソフトウェア（プログラムまたはデータ等を含む）を実装することにより実現してもよい。
【００７４】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７５】
本発明は、アセンブリ情報の管理に際し、当該アセンブリを構成する構成品の変更を許容し得る場合や構成品の対比を行いたい場合において有用である。
【符号の説明】
【００７６】
１００  情報管理装置
１０２  制御部
１０２ａ  第１取得部
１０２ｂ  第２取得部
１０２ｃ  アセンブリ情報作成部
１０２ｄ  計画データ作成部
１０４  通信インターフェース部
１０６  記憶部
１０６ａ  構成パターンマスタ
１０８  入出力インターフェース部
１１２  入力装置
１１４  出力装置
２００  サーバ
３００  ネットワーク
１０００  情報管理システム
【図１】
2017167788.tif 000003
【図２】
2017167788.tif 000004
【図３】
2017167788.tif 000005
【図４】
2017167788.tif 000006
【図５】
2017167788.tif 000007
【図６】
2017167788.tif 000008
【図７】
2017167788.tif 000009
【図８】
2017167788.tif 000010
【図９】
2017167788.tif 000011
【図１０】
2017167788.tif 000012
【図１１】
2017167788.tif 000013